(57)【要約】【課題】パスワードの代わりに、携帯端末装置から出力された音声に応じて画像印刷の可否を判定することで、セキュアな状態を確保して画像形成装置で画像を印刷する際における利便性を向上させる。【解決手段】画像処理システムＳｙでは、携帯端末装置１０のスピーカー１４から音声が再生出力され、この音声が画像形成装置３０の音声入力部３４で収音される。画像形成装置３０の制御部４１は、その収音された音声に一致する認証用音声に対応付けられた画像を、ネットワーク通信部３３を通じてネットワークＮ上のストレージから読み出すか又は記憶部３８から読み出し、画像形成部３７を制御して、読み出した画像を記録紙に記録させる。【選択図】図１
2019117475.tif 000002
【特許請求の範囲】
【請求項１】
画像を携帯端末装置からネットワークを通じて画像形成装置へと送受信する画像処理システムであって、
前記携帯端末装置は、
ユーザーにより操作される第１操作部と、
前記ネットワークを通じてデータ通信を行う第１通信部と、
該携帯端末装置で予め設定された認証用音声を再生出力する音声再生部と、
前記第１操作部の操作により画像の送信要求が指示されると、前記画像及び前記認証用音声を対応付けて、前記第１通信部を通じて前記ネットワーク上のストレージに記憶させるか又は前記第１通信部を通じて前記画像形成装置に送信し、前記第１操作部の操作により前記認証用音声の再生出力が指示されると、該認証用音声を前記音声再生部から再生出力させる第１制御部と、を備え、
前記画像形成装置は、
前記画像を記録紙に記録する画像形成部と、
前記ネットワークを通じてデータ通信を行う第２通信部と、
音声を入力する音声入力部と、
記憶部と、
前記画像及び前記認証用音声が前記携帯端末装置から送信されて前記第２通信部で受信された場合は、前記画像及び前記認証用音声を対応付けて前記記憶部に記憶させ、前記音声入力部を通じて音声が入力されると、この入力された音声に一致する認証用音声に対応付けられた画像を、前記第２通信部を通じて前記ストレージから読み出すか又は前記記憶部から読み出し、前記画像形成部を制御して、前記読み出した画像を記録紙に記録させる第２制御部と、を備える画像処理システム。
【請求項２】
前記画像形成装置の第２制御部は、前記読み出した画像を記録紙に記録させた後、該画像及び該画像に対応付けられた認証用音声を前記ストレージ又は前記記憶部から消去する請求項１に記載の画像処理システム。
【請求項３】
前記画像形成装置の第２制御部は、前記読み出した画像を記録紙に記録させた後、予め設定された一定時間が経過したときに該画像及び該画像に対応付けられた認証用音声を前記ストレージ又は前記記憶部から消去する請求項１に記載の画像処理システム。
【請求項４】
前記画像形成装置は、ユーザーにより操作される第２操作部を備え、
前記画像形成装置の第２制御部は、前記入力された音声に一致する認証用音声に対応付けられた画像を、前記第２操作部の操作により予め定められたパスワードが入力されたときに、前記第２通信部を通じて前記ストレージから読み出すか又は前記記憶部から読み出し、前記画像形成部を制御して、前記読み出した画像を記録紙に記録させる請求項１乃至請求項３のいずれか１つに記載の画像処理システム。
【請求項５】
前記画像形成装置の第２制御部は、前記入力された音声に一致する認証用音声に対応付けられた画像が複数存在し、当該複数の画像を、前記第２通信部を通じて前記ストレージから読み出すか又は前記記憶部から読み出した場合には、該各画像の記録紙への記録を禁止する請求項１乃至請求項４のいずれか１つに記載の画像処理システム。
【請求項６】
前記携帯端末装置は、表示部を備え、
前記画像形成装置の第２制御部は、前記読み出した画像を記録紙に記録させた後、該画像の記録の終了通知を、第２通信部を通じて前記携帯端末装置に送信し、
前記携帯端末装置の第１制御部は、前記第１操作部の操作により認証用音声の再生出力が指示されることなく、前記画像の記録の終了通知が前記第１通信部で受信された場合には、エラーの発生を前記表示部に表示させる請求項１乃至請求項５のいずれか１つに記載の画像処理システム。
【請求項７】
前記画像形成装置の第２制御部は、前記音声入力部を通じて音声が入力されると、前記入力された音声を、前記第２通信部を通じて前記ストレージ又は前記記憶部から読み出した認証用音声と照合し、前記入力された音声が前記読み出した認証用音声と一致するか又は前記入力された音声のうちの予め定められた期間の音声部分が前記読み出した認証用音声と一致すると判断した場合には、前記入力された音声を承認して、前記読み出した認証用音声に対応付けられた画像を、前記第２通信部を通じて前記ストレージから読み出すか又は前記記憶部から読み出し、前記画像形成部を制御して、前記読み出した画像を記録紙に記録させる請求項１乃至請求項６のいずれか１つに記載の画像処理システム。
【発明の詳細な説明】
【技術分野】
【０００１】
本発明は、画像を携帯端末装置からネットワークを通じて画像形成装置へと送信する画像処理システムに関し、特に、携帯端末装置においてユーザーが行う画像記録に必要な操作を支援する技術に関する。
【背景技術】
【０００２】
この種の画像形成装置では、ユーザーが該画像形成装置の操作部を操作して、ネットワーク上のストレージ又は該画像形成装置の記憶部に記憶されている画像の印刷を指示し、パスワードを入力すると、このパスワードが承認された後に、画像がストレージ又は記憶部から読み出されて、この画像が記録紙に記録される（特許文献１を参照）。
【先行技術文献】
【特許文献】
【０００３】
【特許文献１】特開２０１１−０７６６２１号公報
【発明の概要】
【発明が解決しようとする課題】
【０００４】
しかしながら、上記のようなパスワードの入力は、画像の印刷の度に必要とされるため、画像形成装置の操作手順が煩雑となって手間がかかる。
【０００５】
本発明は、上記の事情に鑑みなされたものであり、パスワードの代わりに、携帯端末装置から出力された音声に応じて画像印刷の可否を判定することで、セキュアな状態を確保して画像形成装置で画像を印刷する際における利便性を向上させることを目的とする。
【課題を解決するための手段】
【０００６】
本発明の一局面に係る画像処理システムは、画像を携帯端末装置からネットワークを通じて画像形成装置へと送受信する画像処理システムであって、前記携帯端末装置は、ユーザーにより操作される第１操作部と、前記ネットワークを通じてデータ通信を行う第１通信部と、該携帯端末装置で予め設定された認証用音声を再生出力する音声再生部と、前記第１操作部の操作により画像の送信要求が指示されると、前記画像及び前記認証用音声を対応付けて、前記第１通信部を通じて前記ネットワーク上のストレージに記憶させるか又は前記第１通信部を通じて前記画像形成装置に送信し、前記第１操作部の操作により前記認証用音声の再生出力が指示されると、該認証用音声を前記音声再生部から再生出力させる第１制御部と、を備え、前記画像形成装置は、前記画像を記録紙に記録する画像形成部と、前記ネットワークを通じてデータ通信を行う第２通信部と、音声を入力する音声入力部と、記憶部と、前記画像及び前記認証用音声が前記携帯端末装置から送信されて前記第２通信部で受信された場合は、前記画像及び前記認証用音声を対応付けて前記記憶部に記憶させ、前記音声入力部を通じて音声が入力されると、この入力された音声に一致する認証用音声に対応付けられた画像を、前記第２通信部を通じて前記ストレージから読み出すか又は前記記憶部から読み出し、前記画像形成部を制御して、前記読み出した画像を記録紙に記録させる第２制御部と、を備えるものである。
【発明の効果】
【０００７】
本発明によれば、パスワードの代わりに、携帯端末装置から出力された音声に応じて画像印刷の可否を判定することで、セキュアな状態を確保して画像形成装置で画像を印刷する際における利便性を向上させることができる。
【図面の簡単な説明】
【０００８】
【図１】本発明の画像処理システムの一実施形態を示すブロック図である。
【図２】本実施形態の画像処理システムにおける携帯端末装置及び画像形成装置による処理手順を示すフローチャートである。
【図３】図２に続く携帯端末装置及び画像形成装置による処理手順を示すフローチャートである。
【図４】図３に続く携帯端末装置による処理手順を示すフローチャートである。
【図５】画像形成装置の記憶部又はネットワーク上のストレージに記憶された画像データ、認証用音声データ、及び携帯端末装置の識別子を概念的に示す図である。
【図６】入力された音声を示す音声データ及び認証用音声を示す認証用音声データを概念的に示す図である。
【発明を実施するための形態】
【０００９】
以下、本発明の実施形態にかかる画像処理システムについて図面を参照して説明する。
【００１０】
図１は、本発明の画像処理システムの一実施形態を示すブロック図である。本実施形態の画像処理システムＳｙは、携帯端末装置１０と画像形成装置３０を、ネットワークＮを通じて接続してなる。この画像処理システムＳｙにおいて、携帯端末装置１０は、例えば、スマートフォンやモバイルなどであって、表示部１１と、タッチパネル１２と、ネットワーク（ＮＷ）通信部１３と、スピーカー１４と、記憶部１８と、制御ユニット１９とを備えている。これらの構成要素は、互いにバスを通じてデータ又は信号の送受信が可能とされている。尚、タッチパネル１２は、特許請求の範囲における第１操作部に対応する。また、ネットワーク通信部１３は特許請求の範囲における第１通信部に対応し、スピーカー１４及び音声再生部２５は特許請求の範囲における音声再生部に対応し、更に制御ユニット１９は、特許請求の範囲における第１制御部に対応する。
【００１１】
表示部１１は、液晶ディスプレイ（ＬＣＤ：Liquid Crystal Display）や有機ＥＬ（ＯＬＥＤ：Organic Light-Emitting Diode）などから構成される。
【００１２】
タッチパネル１２は、所謂抵抗膜方式や静電容量方式等のタッチパネルである。タッチパネル１２は、表示部１１の画面に配置され、表示部１１の画面上のソフトキーに対する指などの接触をその接触位置と共に検出する。タッチパネル１２は、指などの接触を検出すると、その接触位置の座標を示す検出信号を制御ユニット１９に出力する。従って、タッチパネル１２は、表示部１１の画面に対するユーザー操作が入力される操作部としての役割を果たす。
【００１３】
ネットワーク通信部１３は、不図示のＬＡＮチップなどの通信モジュールを備える通信インターフェイスである。このネットワーク通信部１３は、ネットワークＮを通じて画像形成装置３０に接続されて、画像形成装置３０との間でデータを送受信したり、あるいはネットワークＮを通じて該ネットワークＮ上のストレージに接続されて、このストレージとの間でデータを送受信したりする。ネットワークＮ上のストレージは、サーバー、ワークステーション、ＰＣなどにより提供される。
【００１４】
また、スピーカー１４は、音声再生部２５から出力されてくるアナログ音声信号を再生出力する。
【００１５】
記憶部１８は、ＲＡＭ（Random Access Memory）、ＨＤＤ（Hard Disk Drive）などの大容量の記憶装置であって、各種のアプリケーションプログラムや種々の情報等を記憶している。
【００１６】
制御ユニット１９は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。制御ユニット１９は、上記のＲＯＭ又は記憶部１８に記憶された制御プログラムが上記のプロセッサーで実行されることにより、制御部２１、表示制御部２３、通信制御部２４、及び音声再生部２５として機能する。なお、制御ユニット１９の上記の各構成要素は、前述の制御プログラムに基づく動作によらず、それぞれハード回路により構成されてもよい。
【００１７】
制御ユニット１９は、表示部１１、タッチパネル１２、ネットワーク通信部１３、スピーカー１４、及び記憶部１８などと接続されており、これらの構成要素の動作制御や、該各構成要素との間での信号またはデータの送受信を行う。
【００１８】
制御部２１は、携帯端末装置１０の全体的な動作制御を司る。制御部２１は、タッチパネル１２の操作に応じた処理などを実行する処理部としての役割を果たす。
【００１９】
通信制御部２４は、ネットワーク通信部１３の通信動作を制御する機能を有する。表示制御部２３は、表示部１１の表示動作を制御する機能を有する。
【００２０】
音声再生部２５は、例えばメディアプレーヤーである。音声再生部２５は、タッチパネル１２の操作により記憶部１８に予め記憶されている音声データの出力が指示されると、この音声データを記憶部１８から読み出してアナログ音声信号に変換し、このアナログ音声信号をスピーカー１４に出力する。
【００２１】
次に、画像処理システムＳｙにおいて、画像形成装置３０は、表示部３１と、操作部３２と、ネットワーク通信部３３と、音声入力部３４と、画像読取部３６と、画像形成部３７と、記憶部３８と、制御ユニット３９とを備えている。これらの構成要素は、互いにバスを通じてデータ又は信号の送受信が可能とされている。尚、ネットワーク通信部３３及び音声入力部３４は、特許請求の範囲における第２通信部及び音声入力部に対応する。また、制御ユニット３９は、特許請求の範囲における第２制御部に対応し、更に画像形成部３７は、特許請求の範囲における画像形成部に対応する。
【００２２】
表示部３１は、液晶ディスプレイや有機ＥＬなどから構成される。操作部３２は、テンキー、決定キー、スタートキーなどのハードキーを備えている。
【００２３】
音声入力部３４は、例えばマイクロホンである。音声入力部３４は、外部からの音声を収音して、この音声に対応するアナログ音声信号を生成し、このアナログ音声信号をディジタルの音声データに変換して出力する。
【００２４】
画像読取部３６は、コンタクトガラスに載置された原稿を光学的に読み取るスキャナーを有し、この原稿の画像を示す画像データを生成する。
【００２５】
画像形成部３７は、感光体ドラム、感光体ドラムの表面を均一帯電させる帯電装置、感光体ドラムの表面を露光して、感光体ドラムの表面に静電潜像を形成する露光装置、感光体ドラムの表面の静電潜像をトナー像に現像する現像装置、及び感光体ドラムの表面のトナー像（画像）を記録媒体としての記録紙に転写する転写装置等を備え、携帯端末装置１０等から受信した画像データによって示される画像や画像読取部３６により生成された画像データによって示される画像を記録紙に印刷する。
【００２６】
制御ユニット３９は、プロセッサー、ＲＡＭ、及びＲＯＭなどから構成される。プロセッサーは、ＣＰＵ、ＭＰＵ、又はＡＳＩＣ等である。制御ユニット１９は、上記のＲＯＭ又は記憶部３８に記憶された制御プログラムが上記のプロセッサーで実行されることにより、制御部４１、表示制御部４３、及び通信制御部４４として機能する。
【００２７】
制御ユニット３９は、表示部３１、操作部３２、ネットワーク通信部３３、音声入力部３４、画像読取部３６、画像形成部３７、及び記憶部３８などと接続されており、これらの構成要素の動作制御や、該各構成要素との間での信号またはデータの送受信を行う。
【００２８】
制御部４１は、画像形成装置３０を統括的に制御する。制御部４１は、画像形成装置３０による画像形成に必要な各種の処理などを実行する処理部としての役割を果たす。また、制御部４１は、音声入力部３４から出力された音声データを入力して、既知の音声認証技術を用いて、この音声データの認証を行う。
【００２９】
表示制御部４３は、表示部３１を制御して、アプリケーションプログラムの実行に伴う画面、より具体的には画像形成処理に必要な設定項目の入力画面、あるいは情報の入力画面などを表示部３１に表示させる。
【００３０】
通信制御部４４は、ネットワーク通信部３３を制御して、ネットワークＮを通じて携帯端末装置１０との間で各種のデータを送受信したり、あるいはネットワークＮを通じて該ネットワークＮ上のストレージにアクセスして、このストレージとの間でデータを送受信したりする。
【００３１】
ここで、本実施形態の画像処理システムＳｙにおいては、画像を示す画像データを、携帯端末装置１０からネットワークＮを通じて画像形成装置３０に直接送信する。あるいは、画像処理システムＳｙでは、画像データを、携帯端末装置１０からネットワークＮ上のストレージを経由させて画像形成装置３０へと送信する。画像形成装置３０では、受信した画像データを画像形成部３７に入力させて、画像データによって示される画像を画像形成部３７で記録紙に記録させ、この記録紙を出力する。従って、携帯端末装置１０のユーザーは、任意の画像を該携帯端末装置１０から画像形成装置３０に直接送信させるか又は該携帯端末装置１０からネットワークＮ上のストレージ経由で画像形成装置３０に送信させて、この任意の画像を画像形成装置３０で記録紙に記録させることができる。
【００３２】
ただし、そのように携帯端末装置１０から画像形成装置３０を利用する場合は、印刷対象とする画像についてセキュアな状態を確保するために、携帯端末装置１０のユーザーを確認してから、画像形成装置３０での画像の記録を許可して、画像形成装置３０の利用を制限することが望ましい。
【００３３】
そこで、本実施形態では、携帯端末装置１０のユーザーが、該携帯端末装置１０を操作して、予め定められた認証用音声をスピーカー１４から再生出力させ、この認証用音声が画像形成装置３０の音声入力部３４で収音されて、この認証用音声が画像形成装置３０で承認されたときにのみ、記録紙への画像の記録が行われるようにしている。
【００３４】
次に、そのような認証用音声を認証して、画像を記録紙に記録させるための処理手順を、図２乃至図４のフローチャートなどを参照して説明する。
【００３５】
まず、図２に示すフローチャートの処理手順に従って、画像データ及び認証用音声データが、携帯端末装置１０から画像形成装置３０に送信され、又は、携帯端末装置１０からネットワークＮ上のストレージに送信される。
【００３６】
携帯端末装置１０では、例えば記憶部１８に記憶されている画像データの一覧が表示部１１の画面に表示されている状態で、ユーザーがタッチパネル１２を操作して、任意の画像データをその一覧から選択する指示を入力すると、制御部２１は、当該選択された画像データを印刷対象として受け付ける（Ｓ１０１）。
【００３７】
続いて、制御部２１は、上記指示に応答して、予め設定されている認証用音声データを記憶部１８から読み出し、上記選択された画像データ、上記認証用音声データ、及び当該携帯端末装置１０の識別子を、通信制御部２４を通じてネットワーク通信部１３から画像形成装置３０に送信させる（Ｓ１０２）。あるいは、制御部２１は、上記選択された画像データ、上記認証用音声データ、及び携帯端末装置１０の識別子を、通信制御部２４を通じてネットワーク通信部１３からネットワークＮ上のストレージに送信する。当該ストレージでは、任意の画像データ、認証用音声データ、及び携帯端末装置１０の識別子を互いに対応付けてジョブボックスに記憶させる。認証用音声データは、携帯端末装置１０のユーザーが適宜選択したものでよい。例えば、音声データとして、予め記憶部１８に記憶された、ユーザー自身が好む音楽や自然音を示すものを設定することができる。
【００３８】
画像形成装置３０では、上記画像データ、上記認証用音声データ、及び携帯端末装置１０の識別子を、ネットワーク通信部３３が受信して（Ｓ２０１）、通信制御部４４を通じて制御部４１に入力する。制御部４１は、上記画像データ、上記認証用音声データ、及び携帯端末装置１０の識別子を互いに対応付けて記憶部３８に記憶させる（Ｓ２０２）。
【００３９】
図５は、上記のようにして、画像形成装置３０の記憶部３８、又はネットワークＮ上のストレージに記憶された、画像データ、認証用音声データ、及び携帯端末装置１０の識別子を概念的に示す図である。図５に示すように複数の画像データＧＤ１〜ＧＤｎ、複数の認証用音声データＯＤ１〜ＯＤｎ、及び複数の携帯端末装置１０の識別子ＩＤ１〜ＩＤｎが互いに対応付けられて記憶されている。
【００４０】
この後、図３に示すフローチャートの処理手順に従って、携帯端末装置１０からの認証用音声の再生出力、及び画像形成装置３０による認証用音声の認証及び画像の記録が行われる。
【００４１】
携帯端末装置１０のユーザーは、上記のようにして画像形成装置３０に送信した画像データが示す画像を記録紙に記録したいときは、画像形成装置３０の前まで移動する。そして、携帯端末装置１０のユーザーが、携帯端末装置１０のタッチパネル１２を操作して上記認証用音声の再生出力を指示し、当該指示が制御部２１に受け付けられると（Ｓ１１１）、音声再生部２５は、当該指示に応答して上記認証用音声データを記憶部１８から読み出し、この認証用音声データを再生してアナログ音声信号としてスピーカー１４に送る。スピーカー１４は、当該アナログ音声信号を出力する（Ｓ１１２）。
【００４２】
画像形成装置３０では、携帯端末装置１０のスピーカー１４から再生出力された音声が音声入力部３４で収音されると、音声入力部３４は、その音声に対応するアナログ音声信号を生成し、このアナログ音声信号をディジタルの音声データに変換する。制御部４１は、当該音声データが音声入力部３４から入力されてきたと判断すると（Ｓ２１２でＹＥＳ）、画像データに対応付けられた認証用音声データを記憶部３８から読み出して、上記入力された音声データと、当該読み出した認証用音声データを照合して、両者の音声データが一致するか否かを判定する（Ｓ２１３）。このとき、制御部４１は、両者の音声データが一致しないと判定すると（Ｓ２１３でＮＯ）、処理を終了する。すなわち、当該画像データの印刷は行われない。
【００４３】
或いは、制御部４１は、音声入力部３４から音声データが入力されてきたとき（Ｓ２１２でＹＥＳ）、画像データに対応付けられた認証用音声データを、通信制御部２４を通じてネットワークＮ上のストレージにおけるジョブボックスから読み出して、その入力した音声データとその読み出した認証用音声データを照合して、両者の音声データが一致するか否かを判定する（Ｓ２１３）。このとき、制御部４１は、両者の音声データが一致しないと判定すると（Ｓ２１３でＮＯ）、処理を終了する。すなわち、当該画像データの印刷は行われない。
【００４４】
上記各場合において、制御部４１は、両者の音声データが一致すると判定したときは（Ｓ２１３でＹＥＳ）、その認証用音声データに対応付けられた画像データ及び携帯端末装置１０の識別子ＩＤを、画像形成装置３０の記憶部３８から読み出すか又は通信制御部２４を通じてネットワークＮ上のストレージにおけるジョブボックスから読み出し、この画像データを画像形成部３７に入力させ、この画像データによって示される画像を画像形成部３７で記録紙に記録させる（Ｓ２１４）。
【００４５】
そして、制御部４１は、当該認証用音声データに対応付けられた画像データ、認証用音声データ、及び携帯端末装置１０の識別子ＩＤを、画像形成装置３０の記憶部３８又はネットワークＮ上のストレージにおけるジョブボックスから消去する（Ｓ２１５）。
【００４６】
更に、制御部４１は、上記携帯端末装置１０の識別子ＩＤを用いて、画像印刷の終了通知を、通信制御部４４を通じてネットワーク通信部３３から該携帯端末装置１０に送信させる（Ｓ２１６）。
【００４７】
次に、図４に示すフローチャートの処理手順に従って、画像形成装置３０による上記画像記録後における、携帯端末装置１０で行われる処理を説明する。
【００４８】
携帯端末装置１０では、画像形成装置３０から送信された画像印刷の終了通知がネットワーク通信部１３で受信されると（Ｓ１２１）、この画像印刷の終了通知が、通信制御部２４を通じて制御部２１に入力される。制御部２１は、画像印刷の終了通知を入力すると、この画像印刷の終了通知を受信する直前に予め定められた認証用音声を出力したか否かを判定する（Ｓ１２２）。例えば、制御部２１は、図３のＳ１１１で認証用音声の再生出力の指示を受けて、図３のＳ１１２で認証用音声を再生出力させたとき、この再生出力を行ったことを示すフラグを立てておき、このフラグが立っているか否かに応じて、上記認証用音声を出力したか否かを判定する。
【００４９】
制御部２１は、画像印刷の終了通知を受信する直前に認証用音声データに対応する認証用音声を出力したと判定すると（Ｓ１２２でＹＥＳ）、画像印刷が終了したことを示すメッセージを、表示制御部２３を通じて表示部１１に表示させる（Ｓ１２３）。このとき、制御部２１は、上記フラグをリセットする。
【００５０】
また、制御部２１は、認証用音声データに対応する認証用音声を出力していないと判定すると（Ｓ１２２でＮＯ）、印刷エラーが発生したことを示すメッセージを、表示制御部２３を通じて表示部１１に表示させる（Ｓ１２４）。携帯端末装置１０において、認証用音声データに対応する認証用音声を出力していないにもかかわらず、画像印刷の終了通知を受信した場合は、携帯端末装置１０のスピーカー１４から再生出力された認証用音声とは異なる他の音声が、画像形成装置３０の音声入力部３４に入力されたにも拘わらず、当該他の音声が画像データに対応付けられた認証用音声に一致すると判定されてしまい、この判定に基づき認証用音声に対応付けられた画像が記録紙に記録されたことになる。このため、表示制御部２３は、この事実を印刷エラーとして、その発生を示すメッセージを、携帯端末装置１０の表示部１１に表示させる。これにより、携帯端末装置１０のユーザーに当該印刷エラーが報知される。携帯端末装置１０のユーザーは、印刷エラーの発生の表示を見て、自分の意志に反して画像が記録されたことを把握し、当該記録がされた記録紙を画像形成装置３０まで取りに行くことができる。
【００５１】
このように本実施形態では、画像データ及び認証用音声データを、携帯端末装置１０からネットワークＮを通じて画像形成装置３０へと送受信して、画像形成装置３０の記憶部３８に記憶させたり、あるいは画像データ及び認証用音声データを、携帯端末装置１０からネットワークＮ上のストレージに記憶させたりしておき、携帯端末装置１０のユーザーが、該携帯端末装置１０を操作して、認証用音声をスピーカー１４から再生出力させると、この認証用音声が画像形成装置３０の音声入力部３４で収音されて、認証用音声データに対応付けられた画像データが画像形成装置３０の記憶部３８又はネットワークＮ上のストレージから読み出されて、この画像データによって示される画像が画像形成装置３０で記録紙に記録される。従って、パスワードを用いなくても、携帯端末装置１０から認証用音声を出力させるだけで、画像形成装置３０により画像を印刷させることができる。
【００５２】
これにより、本実施形態によれば、パスワードの代わりに、携帯端末装置１０から出力された音声に応じて画像印刷の可否を判定することで、当該画像についてセキュアな状態を確保して、画像形成装置で当該画像を印刷する際における利便性を向上させることができる。
【００５３】
なお、上記実施形態では、画像形成装置３０の制御部４１は、画像データによって示される画像が記録紙に記録されると、画像データ、認証用音声データ、及び識別子を、画像形成装置３０の記憶部３８又はネットワークＮ上のストレージから直ちに消去しているが、画像が記録紙に記録されてから一定時間経過後に、画像データ、認証用音声データ、及び識別子を消去するようにしてもよい。
【００５４】
また、認証用音声データと共に、予め設定された簡単なパスワードを画像データに対応付けて、画像データ、認証用音声データ、識別子、及びパスワードを画像形成装置３０の記憶部３８又はネットワークＮ上のストレージに記憶しておくものとしてもよい。この場合、携帯端末装置１０の制御部２１は、画像データ、認証用音声データ、識別子、及びパスワードを、ネットワーク通信部１３から画像形成装置３０に送信して記憶部３８に記憶させるか又はネットワークＮ上のストレージに送信して記憶させる。そして、画像形成装置３０では、携帯端末装置１０のスピーカー１４から再生出力された認証用音声が音声入力部３４で収音され、制御部４１が、当該入力された認証用音声データが、上記画像データに対応付けて記憶されている認証用音声データと一致し、かつ、画像形成装置３０の操作部３２の操作によりユーザーから入力されたパスワードが、上記画像データに対応付けて記憶されているパスワードと一致したと判断した場合に、当該認証用音声データ及びパスワードに対応付けられた画像データを記憶部３８又はネットワークＮ上のストレージから読み出し、この画像データによって示される画像を画像形成部３７で記録紙に記録させる。これにより、画像データのセキュリティをより向上させることができる。
【００５５】
更に、このようにパスワードを併用する場合、画像形成装置３０の制御部４１は、画像が記録紙に記録された直後又は一定時間経過後に、認証用音声データのみを記憶部３８又はストレージから消去するようにしてもよい。そして、認証用音声データが消去された後は、制御部４１は、認証用音声データを用いることなく、画像形成装置３０の操作部３２の操作により入力されたパスワードが、画像データに対応付けられたパスワードに一致することを条件として、このパスワードに対応付けられた画像データを記憶部３８又はネットワークＮ上のストレージから読み出して、この画像データによって示される画像を記録させるようにしてもよい。
【００５６】
また、画像形成装置３０の制御部４１は、入力された音声を示す音声データに一致する認証用音声データに対応付けられた複数の画像データを画像形成装置３０の記憶部３８又はネットワークＮ上のストレージから読み出した場合、すなわち、単一の認証用音声データに対応付けられた画像データが複数存在する場合には、当該各画像データによって示される各画像の記録紙への記録を禁止するようにしてもよい。
【００５７】
また、画像形成装置３０の制御部４１は、音声入力部３４から入力された音声と、画像データに対応付けられた認証用音声とを照合して、これらが一致するか否かを判定しているが、入力された音声のうちの予め定められた期間の音声部分が、画像データに対応付けられた認証用音声と一致するか否かを判定して、この音声部分が当該認証用音声と一致すると判定したときに、その認証用音声に対応付けられた画像データを記憶部３８又はネットワークＮ上のストレージから読み出して、この画像データによって示される画像を画像形成部３７で記録紙に記録させるようにしてもよい。例えば、図６に示すように、制御部４１は、入力された音声を示す音声データＭＤのうちの予め定められた期間Ｔの音声データ部分ＭＤａが、認証用音声を示す認証用音声データＮＤに一致したときに、認証用音声データＮＤに対応付けられた画像データを読み出して、この画像データによって示される画像を記録させる。
【００５８】
更に、制御部４１は、入力された音声のうちの複数期間の音声部分が、上記認証用音声におけるそれぞれの対応部分と一致するか否かを判定して、各期間の音声部分がそれぞれの上記認証用音声の対応部分と一致すると判定したときに、当該認証用音声に対応付けられた画像データを記憶部３８又はネットワークＮ上のストレージから読み出して、この画像データによって示される画像を画像形成部３７で記録紙に記録させてもよい。
【００５９】
また、図１乃至図６を用いて説明した上記実施形態及び変形例の構成及び処理は、本発明の一実施形態に過ぎず、本発明を当該構成及び処理に限定する趣旨ではない。
【符号の説明】
【００６０】
１０          携帯端末装置
１１、３１    表示部
１２          タッチパネル
１３、３３    ネットワーク通信部
１４          スピーカー
１８、３８    記憶部
１９、３９    制御ユニット
２１、４１    制御部
２３、４３    表示制御部
２４、４４    通信制御部
２５          音声再生部
３２          操作部
３４          音声入力部
３６          画像読取部
３７          画像形成部
Ｓｙ          画像処理システム
【図１】
2019117475.tif 000003
【図２】
2019117475.tif 000004
【図３】
2019117475.tif 000005
【図４】
2019117475.tif 000006
【図５】
2019117475.tif 000007
【図６】
2019117475.tif 000008